(57)【要約】【課題】石鹸やシェービングフォーム等の潤滑剤を塗らずに水に刃を濡らすだけでスムーズに剃れる剃刀。【解決手段】剃刀の刃表面が親水性となるように刃表面に親水性保水層を設けることでシェービングフォームなどの界面活性剤を事前に塗布しなくても剃刀を水で濡らすだけでスムーズに髭をすることが可能となる。【選択図】図１
2018175812.tif 000002
【特許請求の範囲】
【請求項１】
剃刀の刃の全体または少なくとも刃先近傍の肌に接触する部分に表層が肌表面の水に対する濡れ性よりも大きくなるような物質を設け、髭や体毛剃りの作業中は水を保持する保水性を有した親水性物質を表面に薄膜被覆したことを特徴とする剃刀。
【請求項２】
剃刀の刃先の進行方向に対して刃先よりも前方に水を保持する手段を肌に接触するように設けたことを特徴とする請求項１に記載の剃刀。
【請求項３】
剃刀の刃先の進行方向に対して刃先よりも前方に油を保持する手段を肌に接触するように設けたことを特徴とする請求項１または２に記載の剃刀。
【発明の詳細な説明】
【技術分野】
【０００１】  剃刀に関する技術
【背景技術】
【０００２】  下記特許文献１には、低摩擦物質を刃にコーティングする技術が開示されている。特許文献１の低摩擦物質はアルキレン類であり疎水性である。摩擦は低く安全に且つ滑らかに剃ることはできるが、剃刀使用時にはシャービングフォームのような潤滑剤が必要である。
【先行技術文献】
【特許文献】
【０００３】
【特許文献１】特表２００９−５１７５４０号  公報
【発明の概要】
【発明が解決しようとする課題】
【０００４】  剃刀は、電気カミソリに比較すると深剃りができ、より綺麗に髭や体毛が剃れるが、スムーズに且つ安全に髭や体毛を剃る為にはシェービングフォームや水と石鹸等の界面活性剤の塗布が必要であった。これらの界面活性剤は塗布にも手間が掛かる上、髭や体毛剃り後に洗い流す必要があり、塗布、洗浄の余分な工程が煩わしく、これら界面活性剤の無い処では電気カミソリのようにどこでも髭や体毛を剃ることはできなかった。電気カミソリのように界面活性剤の塗布無しで剃れる剃刀が求められる。
【課題を解決するための手段】
【０００５】  第一の手段では、剃刀の刃の全体または少なくとも刃先近傍の肌に接触する部分に表層が肌表面の水に対する濡れ性よりも大きくなるような物質を設け、髭や体毛剃りの作業中は水を保持する保水性を有した親水性物質を表面に薄膜被覆したことを特徴とする。【０００６】  第二の手段では、剃刀の刃先の進行方向に対して刃先よりも前方に水を保持する手段を肌に接触するように設けたことを特徴とする。【０００７】  第三の手段では、剃刀の刃先の進行方向に対して刃先よりも前方に油を保持する手段を肌に接触するように設けたことを特徴とする。【０００８】  第二の手段と第三の手段を併用する場合は、第三の手段を進行方向に対して第二の手段よりも前方に設ける事が望ましい。
【発明の効果】
【０００９】  従来の剃刀ではシェービングフォームなどの界面活性剤を使用することが常識となっており、誰も界面活性剤を使用しない方法を考えようとしなかった。しかし発明者は、この常識に疑問を持ち、再度剃刀のメカニズムを考察し、従来見逃していた事実に気が付いた。
従来の剃刀での髭や体毛剃りでは、剃刀の刃を水で濡らすと同時に肌にシェービングフォームやシェービングクリーム、シェービングジェルや石鹸等の水に分散した界面活性剤を塗布して髭や体毛剃りを行う。この時、界面活性剤が水を保持して刃と肌表面間に水の薄膜を形成して潤滑し、刃を肌上を安全に髭や体毛まで滑走させる。髭や体毛に当ると髭や体毛部分のみが凸部となっているために刃先が食い込んで剃ることができる。
もしも刃と肌間に他の方法や手段で水薄膜を形成できれば界面活性剤は不要となる。
そこで、従来方法の肌表面に界面活性剤と水を塗布する替わりに、剃刀の刃の肌に接触する部分に水を保持させて肌に接触させることで、剃刀の刃と肌の間に水薄膜が形成され、肌と水に対して肌よりも濡れ性の大きな刃の間に水の膜が形成されて、刃に水が引き寄せられて肌と刃に間に水薄膜が形成されるため界面活性剤の塗布無しで従来と同様の効果を得ることができる。また、乾燥時には髭や体毛剃り時に肌を水で濡らしてから髭や体毛剃りを行うことで界面活性剤不使用でも快適に髭や体毛剃りを行うことができる。そこで、刃先よりも前方に肌と接触するように保水手段を設けることで、乾燥時にも十分に肌と刃の間に水を供給することができる。
前記保水手段よりも前方に油を肌と接触するように保持する手段を設けることで風呂上りや皮脂の少ない人の肌表面に油膜を形成して刃が角質上をよりスムースに移動することが可能となる。
【図面の簡単な説明】
【０００９】
【図１】  本発明の一例の断面説明図
【図２】  本発明の他の一例の断面説明図
【発明を実施するための形態】
【００１０】  発明の実施の形態を実験結果と図によって説明する。図１は本発明の実験１の断面説明図である。１０１は親水性保水層、１０２は剃刀刃、１０３は刃先、１０４は水薄膜層、１０５は髪、１０６は角質層である。図２は本発明の実験２の断面説明図である。２０１は親水性保水層、２０２は刃先、２０３は水薄膜、２０４は親水性保水フィルム、２０５はワセリン、２０６は油膜、２０７は体毛、２０８は安全剃刀頭部、２０９は角質層である。
【００１１】    〔実験１〕
図１の安全剃刀（１０２）の刃先（１０３）に糊（水溶きデンプン；１０１）を塗布し、余分な糊を拭き取り、２時間乾燥させてから顔の肌（１０６）を水で濡らしてから剃刀の刃先（１０３）を水で濡らし、界面活性剤の塗布なしで髭（１０５）を剃り（実験例１）、糊を塗布していない安全剃刀を用いて同様に髭を剃って比較した（比較例）。更に糊の塗布を行わない安全剃刀でシェービングフォーム使用時の髭剃りと比較した（従来例）。
結果は、実験例１は従来例に比較すると多少スムースさに欠けるが、十分快適に髭を剃ることができた。しかし、比較例では、刃が肌に引っ掛かって痛みがあり、うまく剃ることができず、危険なので途中で中止した。その後実験例１に使用した剃刀を３回使用したが１回目と同様の結果を得た。
【００１２】    〔実験２〕
本実験では、図２の如く刃先（２０２）よりも前方にある剃刀頭部（２０８）に小さな凹凸を設けてワセリン（２０５）を保持させ、更に、保水フィルム（２０４）をワセリンと刃先の間の位置で剃刀頭部に貼付し、安全剃刀の刃先（２０２）に糊（水溶きデンプン；２０１）を塗布し、余分な糊を拭き取り、安全剃刀を２時間乾燥させてから石鹸での洗顔と水洗いをし、十分顔の水分を拭い、更に温風で乾燥させた後、事前に肌を濡らさずに安全剃刀だけ水で濡らした状態で界面活性剤の塗布なしで髭や体毛を剃った（実験例２）。
実験例２では、石鹸洗顔後で角質表面の皮脂が不足し、事前に顔を水で濡らさなかったにも拘わらず、スムースさはシェービングフォームを使用した従来例と全く変わらなかった。
本発明の機序は、夏季高温高湿度状態の電車内の席に設けた樹脂製テーブル上に置いた冷やした飲料を入れたガラス製のコップがコップが空気に接触している表面全体に結露してテーブル上をほとんど摩擦なく移動する状態と同じである。ガラスは樹脂よりも水との接触角が小さい。また、ガラス側の上部から常に結露水が供給される状態であるため、ガラス低面に水が引き寄せられ、結露水がガラスと樹脂の間に水薄膜層を形成するためと考えられる。安全剃刀頭部（２０８）の凹凸部にワセリンを保持させて皮脂が不足した肌の角質（２０９）表面に油膜（２０６）を形成し、２０４の保水フィルムから水分を補給することで、油膜（２０６）の上に水薄膜層（２０３）を形成して刃先に設けた親水性保水層の保水量を補うことができる。２０４から供給された水は一旦油膜上に留まるが、その後接触する２０１の親水性保水層に引き付けれれて２０１の保水層と２０６の油膜の間で保持され、乾燥した肌状態でも水の肌への塗布や界面活性剤を使用せずにスムースに髭や体毛を剃ることができる。また、親水性保水層を設けた安全カミソリの刃の枚数を増やすことにより、１枚よりも２枚、２枚よりも３枚、３枚よりも５枚と言った具合に、よりスムースに剃ることができる。
【００１３】  今回実験では最も身近な水溶性糊を使用したが、製品化では刃先の親水性保水層形成は、親水性ポリマー、架橋剤、金属添加物を加えて調製したものを剃刀刃先に塗布して加熱乾燥させて被膜形成させることで耐久性の高い安全剃刀の刃を得ることができる。更に、被膜ポリマーの親水性面が表面に配向し、疎水性面が刃側に配向しているため、刃と水の接触を防止し、また、被膜が酸素との接触を妨げるため、刃の酸化を抑制することができる。
ワセリンは肌の保湿用として塗布する化粧品として使用されており、髭や体毛剃り後にワセリンを肌表面から除去する必要はない。また、ワセリンを毎回剃刀頭部の凹凸部に塗る必要は無く、該凹凸部のワセリン保持量が減少して剃り心地が悪くなった時点でワセリンを補給すれば良い。また、油膜を形成できる油脂であればワセリンでなく、他の油脂でもよい。
肌の角質層の水接触角は、皮脂が十分ある場合は大きく、石鹸など界面活性剤での洗浄後には皮脂が無くなった状態では接触角が小さくなり親水性が大きくなる。即ち、肌の水に対する接触角は一定ではなく、大きく変化する。水補給手段が無く角質層の水に対する接触角が刃先の材料と同程度の場合は肌と刃の間に水薄膜を保持することが困難となり、うまく剃れない。一方、肌の濡れ性が刃よりも大きい場合にも十分に水が肌に供給されれば肌上に水薄膜が形成されるために界面活性剤不使用でもうまく剃れることがある。そのため、前述のように肌表面の親水性の状態により、従来の剃刀を水で濡らしただけの状態でうまく剃れる時もあるし、引っ掛かってうまく剃れない時もある。
界面活性剤不使用で常にスムースに剃るためには、刃の水に対する濡れ性が肌表面の濡れ性よりも大きいことが条件となる。即ち、刃に水に対する濡れ性を大きくする加工が有効であることがわかる。また、刃と肌の間に水を供給する手段を設けることでよりスムースに剃ることができる。更に肌にワセリンを塗布することで肌の濡れ性を小さくすることで相対的に刃の濡れ性との差を大きくして水を刃に引き付けることができ、皮脂の少ない老人の肌や洗顔後の肌でもスムースに髭や体毛を剃ることができる。
【符号の説明】
【００１４】１０１、２０１  親水性保水層
１０２  剃刀刃
１０３、２０２  刃先
１０４、２０３  水薄膜層
１０５  髪
１０６、２０９  角質層
２０４  親水性保水フィルム
２０５  ワセリン
２０６  油膜
２０７  体毛
２０８  安全剃刀頭部
【図１】
2018175812.tif 000003
【図２】
2018175812.tif 000004